(57)【特許請求の範囲】
【請求項１】
容器１の口部２外周に設けられた凹条３；前記口部２に装着された、前記口部２外周に圧接する筒部４及び遮断壁５を有する合成樹脂製の蓋体６；前記筒部４内側に設けられた前記凹条３に圧接係合する凸条７；前記筒部４の一部又は全周に亘って、前記凸条７の上下方向の途中に対応する部分８に形成された、栓抜きを係止するための係止部９；該係止部９から下方に向けて設けられ、前記口部２の、前記凹条３の下部に形成された環状の突起１０に接し、かつ前記凹部３との間に間隙１１を持たしめて形成された薄肉部１２；から成る容器の開閉装置であって、
前記薄肉部１２は筒部４の厚さ方向において該筒部４の外周面１３と連続面を形成して設けられていることを特徴とする容器の開閉装置。
【請求項２】
薄肉部１２は周方向に弱化ライン１５を有する請求項１記載の容器の開閉装置。
【請求項３】
係止部９は前記筒部４の厚さ方向において、かつ筒部４の外周面１３より内側に、深さ方向を上方とする凹部１６が形成されている請求項１又は２記載の容器の開閉装置。
【請求項４】
係止部９は前記筒部４の厚さ方向において、かつ筒部４の外周面１３より内側で、下部に弱化ライン１５を有し、かつ下方に突出する突部１７を有することを特徴とする請求項１記載の容器の開閉装置。
【請求項５】
蓋体６は中栓であり、遮断壁５に無端状の裂溝１８を有し、かつ遮断壁５上に裂取部材１９を有し、更に前記中栓上に装着する外蓋２０を有する請求項１、２、３又は４記載の容器の開閉装置。
【発明の詳細な説明】
【０００１】
【発明の属する技術分野】
この発明は各種液体商品又は粉体商品等を収容する容器の口部に設けて用いる、容器の開閉装置に関するものである。
【０００２】
【従来の技術】
従来周知のため図示は省略するが、容器、例えば瓶等においては通常合成樹脂製の蓋体が装着されており、そして一般に上記装着を容易にするために打栓形式にする場合が多く、その場合打栓によって上記瓶の口部外周に形成した凹条に、蓋体の筒部内周に形成した凸条を係合させるようになっている。そして上記蓋体が中蓋である場合にはその遮断壁に通常形成されている裂溝に沿って裂切り、瓶内容品を注出等して用いる。
【０００３】
【発明が解決しようとする課題】
そして上記瓶内の内容品を消費し、瓶又は蓋を資源として回収する場合がある。ところがこの場合上記蓋と瓶とは前記のように凹条及び凸条により係止されており、かつ又栓抜き等を係止する部分もないため、容易に外し取ることができず、従って容易に容器又は蓋を資源として回収することができない。
【０００４】
この発明は上記のような問題を解決するためになされたもので、その目的は前記従来のように容器口部の外周の凹条に、蓋の筒部の凸条が係合する、装着が打栓形式の容器の開閉装置において、容器又は蓋を資源として回収する場合に、栓抜きを用いて容易に取り外しでき、しかもその取り外しが外見上明瞭となるいわゆる封緘作用を兼ねることのできる、容器の開閉装置を提供することである。
【０００５】
【課題を解決するための手段】
上記の目的を達成するこの発明について述べるとそれは、容器１の口部２外周に設けられた凹条３；前記口部２に装着された、前記口部２外周に圧接する筒部４及び遮断壁６を有する合成樹脂製の蓋体６；前記筒部４内側に設けられた前記凹条３に圧接係合する凸条７；前記筒部４の一部又は全周に亘って、前記凸条７の上下方向の途中に対応する部分８に形成された、栓抜きを係止するための係止部９；該係止部９から下方に向けて設けられ、前記口部２の、前記凹条３の下部に形成された環状の突起１０に接し、かつ前記凹部３との間に間隙１１を持たしめて形成された薄肉部１２；から成る容器の開閉装置であって、薄肉部１２は筒部４の厚さ方向において該筒部４の外周面１３と連続面を形成して設けられている前記容器の開閉装置である。
又、薄肉部１２は周方向に弱化ライン１５を有する前記容器の開閉装置である。又、係止部９は前記筒部４の厚さ方向において、かつ筒部４の外周面１３より内側に、深さ方向を上方とする凹部１６が形成されている前記容器の開閉装置である。
又、係止部９は前記筒部４の厚さ方向において、かつ筒部４の外周面１３より内側で、下部に弱化ライン１５を有し、かつ下方に突出する突部１７を有することを特徴とする請求項１又は３記載の容器の開閉装置である。
又、蓋体６は中栓であり、遮断壁５に無端状の裂溝１８を有し、かつ遮断壁５上に裂取部材１９を有し、更に前記中栓上に装着する外蓋２０を有する前記容器の開閉装置である。
【０００６】
【作用】
この発明は前記のように構成されたことにより、この蓋体６を装着した容器１又は蓋体６を資源として回収する場合図１０に示すような通常の栓抜き２１を用い、係止部９にかけ、これを上方に押し上げる。
そうすると上記係止部９は、蓋体６の筒部４において容器１の凹条３に圧接係合する凸条７の、上下方向の途中に対応する部分８に形成されているから、上記栓抜き２１の上方に押し上げる力は前記凸条７に直達させることができ、きわめて容易に蓋体６を前記口部２から外し取ることができる。しかもこの外し取りが、内容未注出の最初の状態において不正のために行われるとすると、前記係止部９から下方に向けて設けられ、前記口部２の凹条３の下部に形成された環状の突起１０に接し、かつ凹部３との間に間隙１１を持たしめて薄肉部１２が形成されているため、薄肉部１２は栓抜き２１により前記凹部３方向に押圧され、かつ又前記凸条７は筒部４よりも肉厚に形成されている部分であり、その上下方向の途中から厚さを急激に変化させ、薄肉部１２を形成させたため、その境界部２２には応力集中が起り易い状態となっているため応力が集中し、しかも前記薄肉部１２は凹部３との間に間隙１１を持たしめて形成されているため、該薄肉部１２は前記栓抜き２１による開放動作により、その境界部２２又はその近傍において破損し、蓋体６の開放の痕跡を残す。これにより不正の開放を知ることができる。
即ち上記のように開放の機能に加えて封緘機能を与えることができる。
又薄肉部１２を筒部４の外周面１３と連続面に形成したものは間隙１１を大きく形成することができるため、栓抜き２１を用いる開放の際の、栓抜き２１による破損を一層容易にすることができる。
【０００７】
又薄肉部１２を筒部４の内周面１４と連続面に形成したものは、栓抜き２１を係止部９に掛け易くすることができると共に、しかもなお口部２の凹条３との間に間隙１１を有しているため、容易に破損させることができる。
又薄肉部１２を筒部４の厚さ方向の途中に設けたものは、栓抜き２１を掛け易くすることができると共に、前記間隙１１も比較的大きく形成することができるから、開放の栓抜き２１により容易に破損させることができる。
又薄肉部１２に、周方向の弱化ライン１５を形成したものは、開放の際に一層容易に破損させることができる。又図１１に示すように係止部９の、筒部４の外周面１３より内側に、深さ方向を上方とする凹部１８を形成したものは、その凹部１８に栓抜き２１の肉薄部２３をかけることができ、栓抜き２１の辷りを防止して保持を確実にできるから栓抜き２１の動作の付勢を容易にすることができると共に、前記各構成と同様な効果を奏する。
又係止部９が筒部４の外周面１３より内側で、下部に弱化ライン１５を有し、下方に突出する突部１７を有するものは、前記突部１７に、前記栓抜き２１の肉薄部２３をかけることができ、栓抜き２１の動作の付勢を容易にすることができると共に弱化ライン１５を容易に破損させることもできる。こうして封緘機能を表すことができる。
又蓋体６が中蓋であり、遮断壁５に裂溝１８を有し、かつ遮断壁より裂取部材１９を形成し、かつ該中蓋上に外蓋２０を装着したものはその中蓋により使用前迄密閉を充分にできると共に、容易に、裂溝１８により開放できる。そして係止部９を用いて、栓抜き２１により容器１から取り外しできると共に、その際の薄肉部１２の破損により封緘機能を行わせることができる。
【０００８】
【発明の実施の形態】
図１において、１は容器であり、一例として瓶を示し、この瓶はガラス製でも、合成樹脂製であってもよい。２はその口部であり、その外周に凹条３が形成されている。６は合成樹脂、一例としてポリエチレン又はポリプロピレン等により形成された蓋体であり、筒部４及び遮断壁５を有している。なお、この蓋体６は図示のように中蓋であってもよい。
蓋体６が中蓋である場合は、遮断壁５は無端状の裂溝１８が形成され、遮断壁５上にプルリング状の裂取部材１９が設けられている。２０は外蓋であり、ヒンジ２４により前記中蓋と一体に形成されている。２５は内筒、２６は注筒、２７は外蓋２０との掛止部を示す。
【０００９】
なお１０は前記のように容器１の口部２に形成された凹条３下部の環状の突起であり、その上部に斜面２８を有し、凹条３の上に形成された環状の突出部２９より大径に形成されている。
次に７は筒部４内側の凸条であり、前記凹条３に圧接係合させられている。
そして前記筒部４の一部又は全周に亘り、凸条７の、上下方向の途中に対応する部分８に、栓抜き２１を係止するための係止部９が形成されている。
そして該係止部９から下方に薄肉部１２が一体に設けられており、かつ該薄肉部１２は前記凹部３との間に間隙１１を有し、前記突起１０に接して設けられている。２２は筒部３と薄肉部１２の境界部を示す。
【００１０】
そして前記薄肉部１２は図３に示すように筒部４の厚さ方向において、筒部４の外周面１３と連続面を形成して設けられているもの、及び図１に示すように凸条７の内周面１４と連続面を形成しているもの、及び図５に示すように筒部４の厚さ方向の途中に設けられていてもよい。なお図３において３０は肉厚部を示す。そして上記薄肉部１２のそれぞれの位置は前記間隙１１に大小の変化を与えているが、それは又前記係止部９のふところの深さと反対の関係になっている。
次に図６〜図１０、図１４等に示す１５は弱化ラインであり、一例として小孔を周方向に連続的に形成したものであり、栓抜き２１による開放の際に、栓抜き２１の作動により容易に破損させられるようになっている。なおこの弱化ライン１５は上記の外ミシン目、又は肉の薄い部分等に形成されていてもよい。
次に図１１、図１２において、１６は凹部であり、係止部９の厚さ方向において、外周面１３より内側に形成されており、蓋体６を栓抜き２１により外し取る際、その肉薄部２３を凹部１６にかけることにより蓋体６と栓抜き２１との掛止を確実にし、上記外し取りを容易にすることができるようになっている。
又図１３、図１４において１７は前記係止部９の下方に突出させられた突部であり、薄肉部１２は、該突部１７に設けられている。
１５は弱化ラインを示す。この蓋体６を容器１から取り外す場合は、前記突部１７に、栓抜き２１の肉薄部２３をかけることにより、栓抜き２１をかけ易くすることができる。かつ又弱化ライン１５により薄肉部１２を破損し易くすることもできる。
なお図１５に示すものは外蓋２０をあけ、蓋体６を、栓抜き２１により外し取る場合を示したもので、このようにして外してもよく、容器内容を消費してしまってからはこのようにして取り外す。
【００１１】
【発明の効果】
この発明は前記のように構成されたことにより、係止部９が蓋体６の筒部４において、容器１の凹条３に圧接係合する凸条７の、上下方向の途中に対応する部分８に形成されているから、上記栓抜き２１の上方に押し上げる力は前記凸条７に直達させることができ、きわめて容易に蓋体６を前記口部２から外し取ることができる。しかも薄肉部１２は前記係止部９から下方に向けて設けられ、前記口部２の凹条３の下部に形成された環状の突起１０に接し、かつ凹部３との間に間隙１１を持たしめて薄肉部１２が形成されているため、薄肉部１２は栓抜き２１により前記凹部３方向に押圧され、かつ又前記凸条７は筒部４よりも肉厚に形成されている部分であり、その上下方向の途中から厚さを急激に変化させ、薄肉部１２を形成させたため、その境界部２２には応力集中が起り易い状態となっているため応力が集中し、しかも前記薄肉部１２は凹部３との間に間隙１１を持たしめて形成されているため、前記薄肉部１２は前記栓抜き２１による開放動作によりその境界部２２又はその近傍において破損し、蓋体６の開放の痕跡を残す。これにより不正の開放を知ることができる。即ち上記のように開放の機能に加えて封緘機能を与えることができる。
【００１２】
また、薄肉部１２を筒部４の外周面１３と連続面に形成したことにより間隙１１を大きく形成することができるため、栓抜き２１を用いる開放の際の、栓抜き２１による破損を一層容易にすることができる。
この発明は、薄肉部１２に、周方向の弱化ライン１５を形成したものは、開放の際に一層容易に破損させることができる。
この発明は、係止部９の、筒部４の外周面１３より内側に、深さ方向を上方とする凹部１６を形成したことにより、その凹部１６に栓抜き２１の薄肉部２３をかけることができ、栓抜き２１の辷りを防止して保持を確実にできるから、栓抜き２１の動作の付勢を容易にすることができると共に、薄肉部１２を容易に破損させることができる。
この発明は、係止部９が筒部４の外周面１３より内側で、下部に弱化ライン１５を有し、下方に突出する突部１７を有していることにより、前記突部１７に、栓抜き２１の肉薄部２３をかけ易くすることができるから、栓抜き２１の動作の付勢を容易にすることができると共に弱化ライン１５を容易に破損させることもできる。この発明は、蓋体６が中蓋であり、遮断壁５に裂溝１８を有しかつ遮断壁５に裂取部材１９を形成し、かつ該中蓋上に外蓋２０を装着したことにより、その中蓋により、使用前迄密閉を充分にできると共に、容易に、裂溝１８により開放できると共に、係止部９により栓抜き２１を用いて容易に容器１から取り外しでき、その際の薄肉部１２の破損により封緘機能を行なわせることができる。
【図面の簡単な説明】
【図１】この発明の実施例を示し、容器の開閉装置の断面図である。
【図２】図１に示す装置の、蓋体の正面図である。
【図３】この発明の第２の実施例を示し、容器の開閉装置の半断面図である。
【図４】この発明の第３の実施例を示し、図２に相当する図である。
【図５】この発明の第４の実施例を示し、図３に相当する図である。
【図６】この発明の第５の実施例を示し、図２に相当する図である。
【図７】この発明の第６の実施例を示し、図１に相当する図である。
【図８】図７に示す装置の蓋体の正面図である。
【図９】この発明の第７の実施例を示し、図２に相当する図である。
【図１０】図９に示す装置の作用を説明する図である。
【図１１】この発明の第８の実施例を示し、図１に相当する図である。
【図１２】図１１に示す装置の蓋体の正面図である。
【図１３】この発明の第９の実施例を示し、図１に相当する図である。
【図１４】図１３に示す装置の蓋体の正面図である。
【図１５】図１に示す装置の蓋体の、外蓋を外して後栓抜きによる取外し作用を説明する図である。
【符号の説明】
１        容器
２        口部
３        凹条
４        筒部
５        遮断壁
６        蓋体
７        凸条
８        対応する部分
９        係止部
１０        突起
１１        間隙
１２        薄肉部
１３        外周面
１４        内周面
１５        弱化ライン
１６        凹部
１７        突部
１８        裂溝
１９        裂取部材
２０        外蓋
【図１】
0003764994.tif 000002
【図２】
0003764994.tif 000003
【図３】
0003764994.tif 000004
【図４】
0003764994.tif 000005
【図５】
0003764994.tif 000006
【図６】
0003764994.tif 000007
【図７】
0003764994.tif 000008
【図８】
0003764994.tif 000009
【図９】
0003764994.tif 000010
【図１０】
0003764994.tif 000011
【図１１】
0003764994.tif 000012
【図１２】
0003764994.tif 000013
【図１３】
0003764994.tif 000014
【図１４】
0003764994.tif 000015
【図１５】
0003764994.tif 000016